【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
重畳前画像にグラフィック画像を重畳した重畳後画像を生成する生成手段と、
前記重畳後画像を出力する出力手段と、
を有し、
前記生成手段は、前記重畳前画像に、前記重畳前画像よりもダイナミックレンジが狭いグラフィック画像を重畳した重畳後画像を生成する場合に、前記グラフィック画像の領域とその周辺の領域との少なくともいずれか一方の領域における輝度が第１の閾値以下に制限された重畳後画像を生成する
ことを特徴とする画像処理装置。
【請求項２】
前記生成手段は、前記重畳前画像の輝度を制限することにより、前記重畳後画像の輝度を制限する
ことを特徴とする請求項１に記載の画像処理装置。
【請求項３】
ベース画像と、前記ベース画像のダイナミックレンジを拡大して前記重畳前画像を生成するための差分情報と、を取得する取得手段をさらに有し、
前記生成手段は、
前記差分情報を補正し、
補正後の差分情報、前記ベース画像、及び、前記グラフィック画像を用いて、前記重畳後画像を生成する
ことを特徴とする請求項２に記載の画像処理装置。
【請求項４】
前記差分情報は、ダイナミックレンジを拡大する前の階調値と、ダイナミックレンジを拡大した後の階調値と、の比率を画素毎に表す輝度比率情報である
ことを特徴とする請求項３に記載の画像処理装置。
【請求項５】
前記差分情報は、ダイナミックレンジを拡大する前の階調値と、ダイナミックレンジを拡大した後の階調値と、の対応関係を表すトーンマップである
ことを特徴とする請求項３に記載の画像処理装置。
【請求項６】
前記グラフィック画像は、設定された透明度を有する画像であり、
前記生成手段は、前記グラフィック画像の透明度を補正することにより、前記重畳後画像の輝度を制限する
ことを特徴とする請求項１〜５のいずれか１項に記載の画像処理装置。
【請求項７】
前記生成手段は、
輝度が制限されていない重畳後画像を生成し、
輝度が制限されていない前記重畳後画像の輝度を制限することにより、輝度が制限された前記重畳後画像を生成する
ことを特徴とする請求項１〜６のいずれか１項に記載の画像処理装置。
【請求項８】
前記生成手段は、
階調値が第２の閾値以上の画素を含み、且つ、前記グラフィック画像からの距離が第３の閾値以下である近傍高輝度領域を検出し、
前記近傍高輝度領域の輝度が前記第１の閾値以下に制限された重畳後画像を生成する
ことを特徴とする請求項１〜７のいずれか１項に記載の画像処理装置。
【請求項９】
前記生成手段は、フレーム毎に前記重畳後画像を生成し、
前記出力手段は、前記重畳後画像を表示部に出力し、
前記表示部では、フレーム毎に前記重畳後画像が表示され、
前記画像処理装置は、表示された前記重畳後画像における前記グラフィック画像にユーザが注目しているか否かを、前記グラフィック画像の領域に基づいて判断する判断手段をさらに有し、
前記生成手段は、前記ユーザが前記グラフィック画像に注目していないと判断された場合に、輝度が制限された前記重畳後画像を生成する処理を省略する
ことを特徴とする請求項１〜８のいずれか１項に記載の画像処理装置。
【請求項１０】
前記判断手段は、第４の閾値以上の時間、前記グラフィック画像に対するユーザ操作が行われていない場合に、前記ユーザが前記グラフィック画像に注目していないと判断することを特徴とする請求項９に記載の画像処理装置。
【請求項１１】
前記判断手段は、前記グラフィック画像の領域が第５の閾値より速い速度で変化している場合に、前記ユーザが前記グラフィック画像に注目していないと判断する
ことを特徴とする請求項９または１０に記載の画像処理装置。
【請求項１２】
前記重畳前画像がＨＤＲ画像か否かを判断する画像判断手段をさらに有し、
前記生成手段は、前記重畳前画像が前記ＨＤＲ画像であると判断された場合に、輝度が制限された前記重畳後画像を生成する
ことを特徴とする請求項１〜１１のいずれか１項に記載の画像処理装置。
【請求項１３】
前記画像判断手段は、前記重畳前画像のビット数が８ビット以上である場合に、前記重畳前画像がＨＤＲ画像であると判断する
ことを特徴とする請求項１２に記載の画像処理装置。
【請求項１４】
前記画像判断手段は、前記重畳前画像のデータ形式が浮動小数点形式である場合に、前記重畳前画像がＨＤＲ画像であると判断する
ことを特徴とする請求項１２に記載の画像処理装置。
【請求項１５】
前記画像判断手段は、前記重畳前画像のデータ形式がＯｐｅｎＥＸＲ形式である場合に、前記重畳前画像がＨＤＲ画像であると判断する
ことを特徴とする請求項１２に記載の画像処理装置。
【請求項１６】
前記画像判断手段は、ベース画像と前記重畳前画像を生成するための差分情報と、が前記画像処理装置に入力された場合に、前記重畳前画像がＨＤＲ画像であると判断する
ことを特徴とする請求項１２に記載の画像処理装置。
【請求項１７】
前記第１の閾値は、前記グラフィック画像の輝度に対応する値である
ことを特徴とする請求項１〜１６のいずれか１項に記載の画像処理装置。
【請求項１８】
前記第１の閾値は、１００[ｃｄ／ｍ２]である
ことを特徴とする請求項１〜１６のいずれか１項に記載の画像処理装置。
【請求項１９】
前記グラフィック画像の輝度は、前記重畳前画像の輝度よりも低い
ことを特徴とする請求項１〜１８のいずれか１項に記載の画像処理装置。
【請求項２０】
重畳前画像にグラフィック画像を重畳した重畳後画像を生成するステップと、
前記重畳後画像を出力するステップと、
を有し、
前記重畳後画像を生成するステップでは、前記重畳前画像に、前記重畳前画像よりもダイナミックレンジが狭いグラフィック画像を重畳した重畳後画像を生成する場合に、前記グラフィック画像の領域とその周辺の領域との少なくともいずれか一方の領域における輝度が第１の閾値以下に制限された重畳後画像が生成される
ことを特徴とする画像処理方法。
【請求項２１】
発光手段と、
前記発光手段から発せられた光を、重畳前画像にグラフィック画像を重畳した重畳後画像に基づいて変調することで、画面に画像を表示する表示手段と、
前記重畳後画像を生成する生成手段と、
前記発光手段の発光輝度を制御する制御手段と、
を有し、
前記重畳前画像に、前記重畳前画像よりもダイナミックレンジが狭いグラフィック画像を重畳した重畳後画像を前記生成手段が生成する場合に、前記グラフィック画像の領域とその周辺の領域との少なくともいずれか一方の領域における表示輝度が閾値以下に制限されるように、輝度が制限された重畳後画像を前記生成手段が生成する処理と、前記制御手段が前記発光手段の発光輝度を制限する処理と、の少なくとも一方が行われる
ことを特徴とする表示装置。
【請求項２２】
発光手段と、
前記発光手段から発せられた光を、重畳前画像にグラフィック画像を重畳した重畳後画像に基づいて変調することで、画面に画像を表示する表示手段と、
を有する表示装置の制御方法であって、
前記重畳後画像を生成する生成ステップと、
前記発光手段の発光輝度を制御する制御ステップと、
を有し、
前記重畳前画像に、前記重畳前画像よりもダイナミックレンジが狭いグラフィック画像を重畳した重畳後画像が前記生成ステップで生成される場合に、前記グラフィック画像の領域とその周辺の領域との少なくともいずれか一方の領域における表示輝度が閾値以下に制限されるように、輝度が制限された重畳後画像を前記生成ステップで生成する処理と、前記制御ステップで前記発光手段の発光輝度を制限する処理と、の少なくとも一方が行われる
ことを特徴とする表示装置の制御方法。
【請求項２３】
請求項２０に記載の画像処理方法の各ステップをコンピュータに実行させるためのプログラム。
【請求項２４】
第１画像に第２画像を重畳した重畳後画像を生成する生成手段と、
前記重畳後画像を出力する出力手段と、
を有し、
前記生成手段が、前記第１画像に、前記第１画像よりもダイナミックレンジが狭い第２画像を重畳した重畳後画像を生成する場合に、
前記第２画像の領域とその周辺の領域との少なくともいずれか一方の領域における輝度が低減された重畳後画像が前記出力手段から出力される
ことを特徴とする画像処理装置。
【請求項２５】
前記第１画像の輝度を低減することにより、前記重畳後画像の輝度が低減される
ことを特徴とする請求項２４に記載の画像処理装置。
【請求項２６】
前記第２画像は、設定された透明度を有する画像であり、
前記第２画像の透明度を補正することにより、前記重畳後画像の輝度が低減される
ことを特徴とする請求項２４に記載の画像処理装置。
【請求項２７】
階調値が第１の閾値以上の画素を含み、且つ、前記第２画像からの距離が第２の閾値以下である近傍高輝度領域の輝度が低減された重畳後画像が前記出力手段から出力される
ことを特徴とする請求項２４〜２６のいずれか１項に記載の画像処理装置。
【請求項２８】
前記第１画像がＨＤＲ画像か否かを判断する判断手段をさらに有し、
前記第１画像が前記ＨＤＲ画像であると判断された場合に、輝度が低減された重畳後画像が前記出力手段から出力される
ことを特徴とする請求項２４〜２７のいずれか１項に記載の画像処理装置。
【請求項２９】
前記第２画像の輝度は、前記第１画像の輝度よりも低い
ことを特徴とする請求項２４〜２８のいずれか１項に記載の画像処理装置。
【請求項３０】
請求項２４〜２９のいずれか１項に記載の画像処理装置と、
発光手段と、
前記発光手段から発せられた光を変調することで、画面に画像を表示する表示手段と、
前記発光手段の発光輝度を制御する制御手段と、
を有し、
前記第１画像に、前記第１画像よりもダイナミックレンジが狭い第２画像を重畳した重畳後画像を前記画像処理装置が生成する場合に、前記第２画像の領域とその周辺の領域との少なくともいずれか一方の領域における表示輝度が低減されるように、前記制御手段が前記発光手段の発光輝度を低減する
ことを特徴とする表示装置。
【請求項３１】
第１画像に第２画像を重畳した重畳後画像を生成するステップと、
前記重畳後画像を出力するステップと、
を有し、
前記重畳後画像を生成するステップで、前記第１画像に、前記第１画像よりもダイナミックレンジが狭い第２画像を重畳した重畳後画像が生成される場合に、
前記重畳後画像を出力するステップで、前記第２画像の領域とその周辺の領域との少な
くともいずれか一方の領域における輝度が低減された重畳後画像が出力される
ことを特徴とする画像処理方法。
【手続補正２】
【補正対象書類名】明細書
【補正対象項目名】００１４
【補正方法】変更
【補正の内容】
【００１４】
本発明の第１の態様は、
重畳前画像にグラフィック画像を重畳した重畳後画像を生成する生成手段と、
前記重畳後画像を出力する出力手段と、
を有し、
前記生成手段は、前記重畳前画像に、前記重畳前画像よりもダイナミックレンジが狭いグラフィック画像を重畳した重畳後画像を生成する場合に、前記グラフィック画像の領域とその周辺の領域との少なくともいずれか一方の領域における輝度が第１の閾値以下に制限された重畳後画像を生成する
ことを特徴とする画像処理装置である。
本発明の第２の態様は、
第１画像に第２画像を重畳した重畳後画像を生成する生成手段と、
前記重畳後画像を出力する出力手段と、
を有し、
前記生成手段が、前記第１画像に、前記第１画像よりもダイナミックレンジが狭い第２画像を重畳した重畳後画像を生成する場合に、
前記第２画像の領域とその周辺の領域との少なくともいずれか一方の領域における輝度が低減された重畳後画像が前記出力手段から出力される
ことを特徴とする画像処理装置である。
【手続補正３】
【補正対象書類名】明細書
【補正対象項目名】００１５
【補正方法】変更
【補正の内容】
【００１５】
本発明の第３の態様は、
重畳前画像にグラフィック画像を重畳した重畳後画像を生成するステップと、
前記重畳後画像を出力するステップと、
を有し、
前記重畳後画像を生成するステップでは、前記重畳前画像に、前記重畳前画像よりもダイナミックレンジが狭いグラフィック画像を重畳した重畳後画像を生成する場合に、前記グラフィック画像の領域とその周辺の領域との少なくともいずれか一方の領域における輝度が第１の閾値以下に制限された重畳後画像が生成される
ことを特徴とする画像処理方法である。
本発明の第４の態様は、
第１画像に第２画像を重畳した重畳後画像を生成するステップと、
前記重畳後画像を出力するステップと、
を有し、
前記重畳後画像を生成するステップで、前記第１画像に、前記第１画像よりもダイナミックレンジが狭い第２画像を重畳した重畳後画像が生成される場合に、
前記重畳後画像を出力するステップで、前記第２画像の領域とその周辺の領域との少な
くともいずれか一方の領域における輝度が低減された重畳後画像が出力される
ことを特徴とする画像処理方法である。
【手続補正４】
【補正対象書類名】明細書
【補正対象項目名】００１６
【補正方法】変更
【補正の内容】
【００１６】
本発明の第５の態様は、本発明の第３の態様または第２の態様である画像処理方法の各ステップをコンピュータに実行させるためのプログラムである。
【手続補正５】
【補正対象書類名】明細書
【補正対象項目名】００１７
【補正方法】変更
【補正の内容】
【００１７】
本発明の第６の態様は、
発光手段と、
前記発光手段から発せられた光を、重畳前画像にグラフィック画像を重畳した重畳後画像に基づいて変調することで、画面に画像を表示する表示手段と、
前記重畳後画像を生成する生成手段と、
前記発光手段の発光輝度を制御する制御手段と、
を有し、
前記重畳前画像に、前記重畳前画像よりもダイナミックレンジが狭いグラフィック画像を重畳した重畳後画像を前記生成手段が生成する場合に、前記グラフィック画像の領域とその周辺の領域との少なくともいずれか一方の領域における表示輝度が閾値以下に制限されるように、輝度が制限された重畳後画像を前記生成手段が生成する処理と、前記制御手段が前記発光手段の発光輝度を制限する処理と、の少なくとも一方が行われる
ことを特徴とする表示装置である。
本発明の第７の態様は、
本発明の第２の態様である画像処理装置と、
発光手段と、
前記発光手段から発せられた光を変調することで、画面に画像を表示する表示手段と、
前記発光手段の発光輝度を制御する制御手段と、
を有し、
前記第１画像に、前記第１画像よりもダイナミックレンジが狭い第２画像を重畳した重畳後画像を前記画像処理装置が生成する場合に、前記第２画像の領域とその周辺の領域との少なくともいずれか一方の領域における表示輝度が低減されるように、前記制御手段が前記発光手段の発光輝度を低減する
ことを特徴とする表示装置である。
【手続補正６】
【補正対象書類名】明細書
【補正対象項目名】００１８
【補正方法】変更
【補正の内容】
【００１８】
本発明の第８の態様は、
発光手段と、
前記発光手段から発せられた光を、重畳前画像にグラフィック画像を重畳した重畳後画像に基づいて変調することで、画面に画像を表示する表示手段と、
を有する表示装置の制御方法であって、
前記重畳後画像を生成する生成ステップと、
前記発光手段の発光輝度を制御する制御ステップと、
を有し、
前記重畳前画像に、前記重畳前画像よりもダイナミックレンジが狭いグラフィック画像を重畳した重畳後画像が前記生成ステップで生成される場合に、前記グラフィック画像の領域とその周辺の領域との少なくともいずれか一方の領域における表示輝度が閾値以下に制限されるように、輝度が制限された重畳後画像を前記生成ステップで生成する処理と、前記制御ステップで前記発光手段の発光輝度を制限する処理と、の少なくとも一方が行われる
ことを特徴とする表示装置の制御方法である。